(57)【要約】【課題】  集塵、髪の毛やペットの毛の絡め取りのよいフローリングワイパーを提供することを目的とする。【解決手段】  掃除具のヘッド部の基板上に接合され、シートが密着するように固定される弾性体において、該弾性体の長手側縁部から内側に向かって複数の切り込み部を設けたことを特徴とするフローリングワイパー。【選択図】  図２
2005245646.tif 000002
【特許請求の範囲】
【請求項１】
掃除具のヘッド部の基板上に接合され、シートが密着するように固定される弾性体において、該弾性体の長手側縁部から内側に向かって複数の切り込み部を設けたことを特徴とするフローリングワイパー。
【請求項２】
切り込み部の切り込み幅は長手側縁部から内側に向かい等幅あるいは幅狭としてある請求項１記載のフローリングワイパー。
【請求項３】
切り込み部の切り込み深さは弾性体の長手方向側縁部から内側に向かい等厚もしくは傾斜面となっている請求項１または２記載のフローリングワイパー。
【請求項４】
弾性体の四方側縁に当該側縁から内側に向かって切り込み部を設けた請求項１から３までのいずれか１項記載のフローリングワイパー。
【発明の詳細な説明】
【技術分野】
【０００１】
本発明はフローリングワイパー、特にその弾性体（掃除具のヘッド部の基板上に接合されシートが密着するように固定される弾性体）に関する。
【背景技術】
【０００２】
フローリング等を清拭するための清掃用具において、シートを取り付けるヘッド部は、一般には、柄と連結した硬質の基板と弾性体から構成される。
埃等のゴミの拭き取りをシートの広い範囲で行うことを目的として、この弾性体に段差や凸状突起あるいは弾性体を湾曲形状にすることなどが行われているが、集塵、髪の毛やペットの毛の絡め取りにおいて十分とはいえなかった。
【０００３】
【特許文献１】特開平６−３１１９５４号公報
【特許文献２】特開平１０−５２３９１号公報
【発明の開示】
【発明が解決しようとする課題】
【０００４】
集塵、髪の毛やペットの毛の絡め取りのよいフローリングワイパーを提供することを目的とする。
【課題を解決するための手段】
【０００５】
掃除具のヘッド部の基板上に接合され、シートが密着するように固定される弾性体において、該弾性体の長手側縁部から内側に向かって複数の切り込み部を設けたことを特徴とするフローリングワイパーに係わる。
【０００６】
更に本発明は切り込み部の切り込み幅は長手側縁部から内側に向かい等幅あるいは幅狭としてあるフローリングワイパーに係わる。
【０００７】
又本発明は切り込み部の切り込み深さは弾性体の長手方向側縁部から内側に向かい等厚もしくは傾斜面となっているフローリングワイパーに係わる。
【０００８】
更に又本発明は弾性体の四方側縁に当該側縁から内側に向かって切り込み部を設けたフローリングワイパーに係わる。
【０００９】
本発明のフローリングワイパーの特徴は掃除具のヘッド部の基板上に接合され、シートが密着するように固定される弾性体において、弾性体の長手側縁部から内側に向かって複数の切り込み部を設けることにある。
上記の切り込みは、等幅でもよいが、内側に向かい幅狭とすることが望ましい。また中央側にはさらに拡幅部を設けても良い。
上記の切り込みの深さは、弾性体の全厚（切り欠き）でもよい。傾斜を設けてもよい。
上記の各切り込みの間の弾性体は、シート面側に面取りをしてもよい。
上記の基板と弾性体の接合は、弾性体全面あるいは、幅方向中央部とする。
更に四方に切り込みを入れても良い。
【発明の効果】
【００１０】
切り込み部のシートは、シートに直接圧縮応力がかからないためにシートを構成する繊維同士の距離が保たれ、ワイパーの拭き取りの際に、非切り込み部によりかき寄せられた埃等のゴミが集まるとともに、これらの保持を行うことで、シート面を有効に活用することができる。
非切り欠き部の弾性体が変形し、これに併せて取り付けられたシートに不均一な応力を受け、切り欠き部のシートには拭き取り方向に直交する微小なひだが生じ、これにより拭き取り性が向上する。
【発明を実施するための最良の形態】
【００１１】
以下に本発明を図面を用いて実施例によって説明するが、本発明はこれのみに制約されるものではない。
【実施例１】
【００１２】
図１はフローリングワイパー掃除具の外観図で掃除具のヘッド部の基板（１）に自在接手（２）を介して柄部（３）が取付けられており、基板（１）の清掃面には弾性体（４）が接合されている。
この弾性体（４）にシート（図示せず）が密着するように固定できるようになっている。
【００１３】
図２は弾性体（４）の平面図で、この横長方形の弾性体の長手側縁部（５）（５）から内側に向かって複数の略三角錐型の切り込み部（６）を設けている。
この切り込み部（６）は内側に向かい幅狭の形状をなし、長手方向に等間隔に計１１個設けられている。
この切り込み部（６）は図３に示すように弾性体（４）の部分厚に亘って切り込み深さ方向にＶ字状の溝形状をなしている。
またこの切り込み部（６）は図４に示すようにその切り込み深さが側縁部（５）から内側に向かい順次浅くなる傾斜面となっている。
【実施例２】
【００１４】
図５は図２の他の例を示し、切り込み部（６）の中央側に拡幅部を設けた例で図示では切り込み部（６）の奥部に円形の溜り部（７）を形成している。
図６および図７は図５のＸ−Ｘ断面図およびＺ−Ｚ断面図である。
【実施例３】
【００１５】
図８は更に他の例を示し、切り込み部（６）弾性体（４）の全厚を切り込んで形成され、切り込み部（６）はＸ−Ｘ方向で面切りされている。またＺ−Ｚ方向でも面切り形状をなしている。
図９および図１０は図８のＸ−Ｘ断面図およびＺ−Ｚ断面図である。
【実施例４】
【００１６】
図１１は弾性体（４）の長手方向側縁部（５）（５）からのみならず短辺側縁部（８）（８）からも内側に向かって切り込み部（６）（６）および（９）（９）を夫々設けた例である。
切り込み部（６）（６）および（９）（９）は図１２（Ｘ−Ｘ断面図）および図１３（Ｚ−Ｚ断面図）に示したようにＸ−Ｘ方向およびＺ−Ｚ方向に共に面取りされたＲ状をなしている。
【図面の簡単な説明】
【００１７】
【図１】フローリングワイパー掃除具の外観図。
【図２】実施例１を示す弾性体の平面図。
【図３】同上のＸ−Ｘ断面図。
【図４】同上のＺ−Ｚ断面図。
【図５】実施例２を示す弾性体の平面図。
【図６】同上のＸ−Ｘ断面図。
【図７】同上のＺ−Ｚ断面図。
【図８】実施例３を示す弾性体の平面図。
【図９】同上のＸ−Ｘ断面図。
【図１０】同上のＺ−Ｚ断面図。
【図１１】実施例４を示す弾性体の平面図。
【図１２】同上のＸ−Ｘ断面図。
【図１３】同上のＺ−Ｚ断面図。
【符号の説明】
【００１８】
１……基板
２……自在接手
３……柄部
４……弾性体
５……長手方向側縁部
６……切り込み部
７……円形溜り部
８……短辺側縁部
９……切り込み部
【図１】
2005245646.tif 000003
【図２】
2005245646.tif 000004
【図３】
2005245646.tif 000005
【図４】
2005245646.tif 000006
【図５】
2005245646.tif 000007
【図６】
2005245646.tif 000008
【図７】
2005245646.tif 000009
【図８】
2005245646.tif 000010
【図９】
2005245646.tif 000011
【図１０】
2005245646.tif 000012
【図１１】
2005245646.tif 000013
【図１２】
2005245646.tif 000014
【図１３】
2005245646.tif 000015